(57)【要約】【課題】臥している人体の下への移乗用のシートの引き込みと、人体を載せた移乗用シートの移送用寝台への引寄せ作業、そして逆方向の作業を容易にし、介護者の大きな力を不用にする。【解決手段】  本発明は、移乗シートと引寄せ手段と巻取り手段により構成されている。図６は、左側の巻取り棒２０を回転させ、係着された環状器具１３、環紐１４、引き糸１１を巻取り、表裏両面の摩擦係数が小さい移乗シート３３をベッド６の上、人体の下に引込む直前の状態を示している。  引き込み完了後、巻取り棒２０を右側に移動し、右側の環状器具１３に巻取り棒２０の係着具２１を係着させ、巻取り棒２０を回転させて引き糸１１を巻取れば、人体を載せた移乗シートＡ部分３３Ａは、Ｂ部分３３ＢとＣ部分３３Ｃの上を滑るように引寄せられて移送用寝台７の上に移乗される。【選択図】図５
2013000563.tif 000002
【特許請求の範囲】
【請求項１】
臥せている人体を、ベッドと移送用寝台との間で往復移乗させる人体移乗用器具であって、人体を載せて移乗させる移乗シートと、移乗シートを引寄せる引寄せ手段と、引寄せ手段を巻取る巻取り手段とにより構成され、前記移乗シートは、人体の頭部から膝部までの長さより長い長辺と、人体の横幅より長い短辺を有する長方形の、表裏両面の摩擦係数が小さい両面滑性シートから成り、前記引寄せ手段は、ベッドの幅以上の長さを有し、一端は前記移乗シートへの係着手段を備え、他端は環状に結ばれた紐が通された環状の器具を備えている引き糸複数本より成り、前記巻取り手段は、前記環状の器具との係着器具を複数備えた、移乗シートの長辺より長い円筒形の巻取り棒から成り、巻取り棒を回転させて引寄せ手段を巻取ることにより移乗シートを引寄せることを特徴とする人体移乗用器具。
【請求項２】
前記移乗シートの相対する長辺の双方に、前記引寄せ手段を固着したことを特徴とする請求項１に記載の人体移乗用器具。
【請求項３】
前記移乗シートの幅を、一方の長辺の端より、ベッドの幅と移送用寝台の幅とを合わせた長さ程度拡幅して、拡幅された部分を前記移乗シートの下側に折り曲げて置いた形状を有することを特徴とする請求項２に記載の人体移乗用器具。
【請求項４】
前記巻取り棒の両端を支える巻取り棒支持手段が、上部の巻取り棒受け具と下部の巻取り棒受け具を支える支柱とにより構成され、前記支柱は床上置き型とベッドまたは移送用寝台の上面置き型と２種類あるが、いずれもベッドまたは移送用寝台の構造部分への係着手段を備えていることを特徴とする請求項１から３までに記載の人体移乗用器具。
【発明の詳細な説明】
【技術分野】
【０００１】  本発明は、臥している病人、障害者、老人等被介護者の移乗用器具に関する。
【背景技術】
【０００２】  従来の人体移乗用器具の中には、長尺な移乗用シートと巻取り手段を備えたものがある（例えば特許文献１参照）。当該特許文献１の図１は手鉤２本に引出手段が、そしてその先には移乗用シートが繋がって居る。ベッドの片側から反対側に、衛生上の観点から直接人体の下を通さず、その下の幅約１ｍのマットの下を、ベッドの反対側より１ｍも手を伸ばして、隣接する移送用寝台上の手鉤と引出手段を引寄せるのは面倒な作業であり、この作業を２回行わなければならない。【０００３】  当該特許文献１の図４では手鉤は寝ている患者の首や足の下あたりに１．２ｍ程度離れて位置しているが、両手を広げて手鉤を手前に力を入れて引くことは出来ない。両手を合わせて引くと手鉤の先の引出手段とその先の移乗用シートが中央に寄って来て移乗用シートの形が崩れる。一人の介護者が２回に分けて引いても、２人の介護者が同時に引いても、中央の腰部付近のシートは、逆方向向きの抵抗で形が崩れる。形が崩れたままでは被介護者を載せることが出来ないという問題がある。【０００４】  手鉤と引出手段の長さは通常のベッド幅１ｍ以上ある筈で、これを介護者が引くにはその身体の動きもあるので、ベッドの傍らに幅１．５ｍ以上の引寄せ作業用スペースが必要となる。これは狭い病室では無理な問題である。【０００５】  人体の体重は５０ｋｇ以上ある場合が多く、人体の背面には凹凸があり、その摩擦係数は大きい。当該特許文献１の図５の断面図は、人体の左肩下に引出手段、アウターシート、ベースシート、そしてこれらの結合手段等が図示されている。その厚みは３枚のシートとこれを外側の上下から纏める材質形態が不明な結合手段を併せると５重となる。
さらに、患者を載せる側の上面側シートの摩擦係数が高く設定されているので、移乗用シートを人体の下に引き込むには、かなりの抵抗があり、かなりの力を必要とするという問題がある。【０００６】  人体の移送用寝台上への引寄せ移乗に際しては、移乗用シートの底面の摩擦係数は小さいが、その下で接触するマットやマットレスの摩擦係数は大きいので、相当程度強力な引く力が必要となるという問題がある。【０００７】  当該特許文献１の「００１２」項には、「ベッドに患者を戻すときは、逆に、引出手段７先端の引出用手鉤部８により（中略）移乗用シート３ごと患者をベッド１５床部移乗させればよい」とある。巻取りローラーには触れておらず、「手鉤」とあるので、これは２人の介護者が、器具を使わずに２個の手鉤を引く作業と理解される。
移乗用シートの底面の摩擦係数は小さいが、その下のマットレスやマットの摩擦系数は大きいので、この作業は相当な力を必要とし問題である。また、２人の介護者が手鉤を引くに当たって、介護者の身体の動きと手鉤と引出手段の長さが必要とする幅の広い作業スペースがベッドの横に必要という問題もある。【０００８】  既に商品化しているマットやボードに、介護者が引いたり持ち上げたりする為の握りや紐を備えている器具がある（例えば非特許文献１参照）。また、平面状或いは円筒状の表面滑性シートが市販されている。いずれも使用に当たっては、先ず、臥している人体の下に器具やシートを差込む必要があるが、当該人体の下への差込みは簡単ではない。
差込むに当たっては、人体を左右横向きにさせたり戻したりする介護者による体位変換作業が必要である。これは被介護者にとっても介護者にとっても負担である。【０００９】  これらの器具にはベッドと移送用寝台との間の移乗手段が備わっていないので介護者が被介護者を抱き抱えて移乗させるなどの重労働が必要となる。また、これらの器具や表面滑性シートも、その下のマットレスも柔軟性に富むので、ベッドの端で抱き抱えるときなど、その上の被介護者の人体が傾くなど、移乗作業は安定性に欠ける。また、患者に触れるので病原菌が伝染するおそれがある。
【先行技術文献】
【特許文献】
【００１０】
【特許文献１】  特公平７−５５２３０号公報
【非特許文献】
【００１１】
【非特許文献１】  パラマウントベッド（株）  ２０１１カタログ（第１０４頁）「トランスファーマットレス」
【発明の概要】
【発明が解決しようとする課題】
【００１２】  本発明は、特許文献１の例が有する次の課題が解決できる人体移乗用器具を実現することを目的とする。
（１）手鉤と引出手段という移乗用シートの引寄せ手段を、ベッドの片側から入れ反対側に出す作業を簡単にすること。
（２）移乗用シートを人体の下に引き込むときの抵抗を少なくすること。
（３）移乗用シートを人体の下に引き込むときのシートの形の崩れを防止すること。
（４）移乗用シートを引くために必要なベッド脇のスペース幅を大幅に減らすこと。
（５）人体を載せた移乗シートをベッドより移送用寝台へ引寄せるときの摩擦抵抗を大幅に減らすこと。
（６）人体を載せた移乗シートを移送用寝台よりベッドへ引寄せるときの摩擦抵抗を大幅に減らすこと。また、人力ではなく器具を使って引寄せること。【００１３】    本発明は、非特許文献１の器具や市販の滑り布と称する薄布が有する、次の課題も解決できる人体移乗用器具を実現することを目的とする。
（１）人体の下への引き込みのための体位変換を不要にすること。
（２）ベッドと移送用寝台間の移乗の為の人体抱き抱え重労働を不要にすること。
（３）介護者の人力による不安定な作業を安定したものとすること。
（４）人体に触れる必要を無くし、病原菌の伝染を防ぐこと。
【課題を解決するための手段】
【００１４】  本発明請求項１の人体移乗用器具は、上記目的を達成するための、臥せている人体を、ベッドと移送用寝台との間で往復移乗させる人体移乗用器具であって、人体を載せて移乗させる移乗シートと、移乗シートを引寄せる引寄せ手段と、引寄せ手段を巻取る巻取り手段とにより構成され、前記移乗シートは、人体の頭部から膝部までの長さより長い長辺と、人体の横幅より長い短辺を有する長方形の、表裏両面の摩擦係数が小さい両面滑性シートから成り、前記引寄せ手段は、ベッドの幅以上の長さを有し、一端は前記移乗シートへの係着手段を備え、他端は環状に結ばれた紐が通された環状の器具を備えている引き糸複数本より成り、前記巻取り手段は、前記環状の器具との係着器具を複数備えた、移乗シートの長辺より長い円筒形の巻取り棒から成り、巻取り棒を回転させて引寄せ手段を巻取ることにより移乗シートを引寄せることを特徴とする。【００１５】  本発明の請求項２に記載の人体移乗用器具は、前記移乗シートの相対する長辺の双方に、前記引寄せ手段を固着したことを特徴とする請求項１に記載の人体移乗用器具である。【００１６】  本発明請求項３の人体移乗用器具は、前記移乗シートの幅を、一方の長辺の端より、ベッドの幅と移送用寝台の幅とを合わせた長さ程度拡幅して、拡幅された部分を前記移乗シートの下側に折り曲げて置いた形状を有することを特徴とする請求項２に記載の人体移乗用器具である。【００１７】  本発明の請求項４の人体移乗用器具は、前記巻取り棒の両端を支える巻取り棒支持手段が、上部の巻取り棒受け具と下部の巻取り棒受け具を支える支柱とにより構成され、前記支柱は床上置き型とベッドまたは移送用寝台の上面置き型と２種類あるが、いずれもベッドまたは移送用寝台の構造部分への係着手段を備えていることを特徴とする請求項１から３までに記載の人体移乗用器具である。
【発明の効果】
【００１８】  前記「課題を解決する手段」で述べた構成形状としたことによって、特許文献１の器具と比較して、本発明の器具は次に列挙する効果が得られる。
（１）移乗シートを人体の下に引き込むための引寄せ手段の引き込み方法が簡単である。
（２）移乗シートと移乗シート引寄せ手段の摩擦係数が小さい。
（３）人体の下に引き込んだ後の移乗シートの形状の崩れが少ない。
（４）移乗シートの人体の下への引き込み作業用スペースは狭くて済む。
（５）請求項３の発明の場合、人体を載せた移乗シートのベッドより移送用寝台への引寄せるときの摩擦抵抗が極めて小さい。
（６）人体を載せた移乗シートを移送用寝台よりベッドへ引寄せるときの摩擦抵抗が極めて小さい。また、人力ではなく器具を使って引寄せることが出来る。【００１９】  非特許文献１の器具や滑り布と称する商品と比較して、本発明の器具は次に列挙する効果が得られる。
（１）人体の下への移乗シーと引き込みのための体位変換は不要である。
（２）ベッドと移送用寝台間の移乗の為の人体抱き抱え重労働も不要である。
（３）介護者の人力による不安定な作業が安定したものとなる。
（４）人体に触れる必要が無く、病原菌の伝染を防げる。
【図面の簡単な説明】
【００２０】
【図１】  本発明の実施例１の平面図である。
【図２】  同、実施例２の平面図である。
【図３】  同、実施例３の平面図である。
【図４】  同、実施例３の請求項３の形状を示す斜視図である。
【図５】  実施例１の輪紐が引き糸を引き始めた状態を示すイメージ図である。
【図６】  図４の移乗シート引寄せ直前の状態を示す斜視図である。
【図７】  巻取り棒支持具の一例を示す斜視図である。
【図８】  図６の移乗シートの人体下への引き込み完了状態を示す断面図である。
【図９】  人体を移送用寝台よりベッド上へ引寄せる直前の状態を示す断面図である。
【図１０】  図９の人体がベッド上に引寄せられた状態を示す断面図である。
【発明を実施するための形態】
【００２１】  説明と理解を容易にするため、縦横左右等の位置関係は、ベッドの足許側より見た表現とする。ベッド上頭置き部と足置き部を結ぶ線は縦、これと直角に交わる線は横である。移送用寝台はベッドの右側に寄せる。
【００２２】  通常金属製のベッド上には厚手のマットレス、薄手のマット、敷布、人体、毛布類が順次重なっている。引寄せ手段はマットとマットレスの間に引き込む事とする。
しかし、ベッドの上の厚手のマットレスの上に敷かれている薄手のマットと敷布、そして人体の上の毛布類についての取り扱いの説明と図示は原則として省略する。また、通常移送用寝台上にはマットが置かれて居り薄手のカバーが掛けられているが、薄手のカバーの説明と図示も省略する。
【００２３】細長い手段や移乗シート等はベッドや移送用寝台を越えた場所では下に垂れ下がるが、図面上では、全体構成の理解を容易にするため、水平に延びている形状で示した。
【実施例１】
【００２４】  図１は本発明の基本構成要素である移乗シート３１、引寄せ手段、巻取り手段を示している。移乗シート３１は、表裏両面の摩擦係数が小さい両面滑性シートから成り、一層又は複数層のシート状の手段である。その素材は繊維、不織布、化学合成フィルムなどいずれでも良い。【００２５】  引寄せ手段を構成する引き糸１１は、柔らかくしなやかに曲がる細長い凧糸などの手段であって、紐、テープと称するものでも良い。天然繊維、化学合成繊維、ワイヤーなど材質は問わない。引き糸１１の一端には移乗シート３１への係着手段１２を備え、他端には環状に結ばれた紐、輪紐１４が中に通された環状器具１３を備える。
引き糸の長さは標準のベッドの幅よりやや長くする。引き糸１１を複数本纏めて引寄せ手段を構成する。図１では８本の引き糸を図示しているが、本数を増やすことは容易であり、引寄せの際の移乗シートの崩れは少なく出来る。
前記移乗シートへの係着手段の一例としてはクリップがあり、他の例としては、移乗シートに空けた鳩目穴へのフックがある。【００２６】  輪紐１４は、移乗シートの長辺の２倍程度の長さの紐を環状に結んだものであり、引き糸１１の順序を保ち、巻取り棒２０の係着手段２１への環状器具１３の係着作業を容易にする。引き糸１１に絡まらないように、輪紐１４の方をやや太めにする。輪紐引寄せ棒４の長さはベッドの横幅程度で、先端はフック状の形態である。【００２７】  巻取り棒２０は円筒形の棒とし、前記移乗シート３１の縦幅よりやや長く、所定の間隔を置いて複数の係着器具２１と、回転ハンドル２２を備える。係着器具の一例は金属製のフックであり、他の例は頭部直径の大きめの釘である。巻取り棒２０は、一例として、直径３０ｍｍの鉄パイプが挙げられる。
係着器具２１の間隔は、体重が重く掛かる人体の腰部近辺ではでは狭く、軽く掛かる脚部近辺では広くする。巻取り棒２０は、木製、金属製、塩化ビニール製など材質は問わない。引き糸１１の一本毎にフランジを備えれば、複数の引き糸１１それぞれの巻き取り場所を纏めることが出来る。【００２８】  ベッド上の人体を右隣の移送用寝台に移乗させる手順について図１及び図５を引用して説明する。移乗作業の第１ステップは移乗シート３１の人体下への引き込みである。
先ず、図５に示すとおり巻取り棒２０はベッド６の左側に置く。また、輪紐１４が通された環状器具１３を備えた引き糸１１と移乗シート３１は右側の移送用寝台７の上に置く。但し図４では、引寄せ手段を構成する引き糸１１の弛みを示す為、移乗シート３１は、移送用寝台７の右側に示した。【００２９】  次いで輪紐引寄せ棒４の先端を、ベッドの左側から人体の下を右側に通して、先端のフックを移送用寝台７上に突き出し、これに輪紐１４を引っ掛ける。輪紐引寄せ棒４を左側に引き戻すと、輪紐１４の先がベッドの左側に出てくる。図５はこの状態を示す。
更に引けば引き糸１１の端の環状器具１３がベッドの左側に出て来る。環状器具１３を順次巻取棒２０に備えられた係着器具２１に係着する。巻取棒２０を回転させれば、環状器具１３の先の引き糸１１が巻かれ、これに係着された移乗シート３１が人体５の下に引き込まれる。【００３０】  移乗作業の第２ステップは、人体を載せたベッド上の移乗シート３１の移送用寝台７上への引き寄せである。先ず、巻取棒２０に巻かれている引き糸１１の端の係着手段１２が、図１および図５で移乗シート３１の左側へ係着しているが、この係着を取り外す。
次いで巻取り棒２０を移送用寝台７の右側に移動する。巻取り棒２０を逆回転させて、巻きついている係着手段１２と引き糸１１を左側に引き伸ばしてベッド６上の移乗シート３１の右端部（図１および図５で移乗シート３１の右側の長辺）に係着させる。【００３１】  その後巻取り棒２０を回転させると移乗シート３１及びその上の人体５は移送用寝台７上に引寄せられ移乗する。移乗シート３１の引き寄せの際には、ベッド６と移送用寝台７の間の凹みの上には、上面の摩擦係数が小さい薄手の渡し板を敷いて置き、移乗シート３１の移動を容易にする。巻取り棒２０の回転は、手動のみならずギアを用いた電動装置によることも可能である。
【実施例２】
【００３２】  図２は、請求項１の移乗シート３１の相対する長辺の双方に、前記引寄せ手段を固着した構成を示す平面図である。
請求項１では、引寄せ手段が一組なので、人体移乗第１ステップの移乗シートの人体下への引き込みの際には、前記引寄せ手段を移乗シートの左側に係着する。次いで、第２ステップの人体を右側の移送用寝台に移乗させる際には、前記係着を外して、引寄せ手段を右側に移動させて、移乗シートの右側に前記係着手段を新たに係着させるという面倒な作業が必要である。【００３３】  しかし、図２に示す実施例２では、前記引き込み時には左側の引寄せ手段を使用し、人体の移乗時には右側の引寄せ手段を使用するので、引寄せ手段の移乗シートの左側との係着の取り外し、右側への移動、移乗シートの右側への係着の作業は不要となる。
前記固着とは、着脱自在の係着とは異なり、接着或いは結着された２者を引き離す必要の無い固定された状態を意味する。
【実施例３】
【００３４】  請求項３の人体移乗用器具の主要構成要素は、図３の平面図に示す通りである。
図２と同じ形状部分の移乗シートをＡ部分３３Ａ、その外側の移送用寝台の幅程度拡幅された部分をＢ部分３３Ｂ、更にその先のベッドの幅程度拡幅された部分をＣ部分３３Ｃと称することとする。【００３５】  請求項３の人体移乗用器具の核心的部分は、図４の斜視図に示す通り、移乗シート３３のＡ部分３３Ａが上側に置かれ、Ｂ部分３３ＢとＣ部分３３Ｃは折り曲げられて下側に置かれた形状である。人体を載せた上側の部分が下側の部分の上を引寄せられるとき、接触する上下両面の摩擦係数が小さいので、引寄せのための力は、本発明の請求項１、請求項２、或いは特許文献１の人体移乗器具に比べると、相当小さくて済む。【００３６】  図６は、請求項３の人体移乗用器具の、折り曲げられた形状の移乗シート３３を人体の下に引き込む作業開始直前の状態を示す斜視図である。
移乗シート３３のＡ部分３３ＡとＢ部分３３Ｂの境界線部分に係着している引き糸１１は左側に伸びて、その端の円環１３が巻取り棒２０の係着器具２１に係着している。移乗シート３３の右外側の引き糸１１は右側に伸びている。【００３７】  人体移乗用器具の形状を図６の如く形成するためには、事前に、輪紐引寄せ棒４による輪紐１４、環状器具１３、引き糸１１のベッド上への引寄せと、引寄せられた環状器具１３を巻取り棒２０の係着器具２１に係着させる作業がある。この作業手順は実施例１と同様である。【００３８】  図６は、移乗シートのＡＢ両部分の境界線部分に引き糸１１の通し孔１６を示している。引き糸１１の端はこの通し穴１６を通り抜け、その裏側の糸縛り用細棒１７に固着されている。
前記細棒の一例は、長さ１，６００ｍｍ、直径２〜３ｍｍ程度の金属棒である。しかし固着手段はこの方法には限らない。長い１本の細棒ではなく引き糸と通し孔ごとに、個別に短い細棒で引き糸を固着する方法もある。金属棒を使わずに引き糸を接着剤で固着、あるいは引き糸を縫い付ける方法もある。鳩目孔に引き糸を通して結びつける方法もある。【００３９】  移乗シート３３の人体下への引き込みは、図６の斜視図の状態から始めて、巻取り棒２０を回転して引き糸１１とその先の折り曲げた形状の移乗シート３３を人体下に引き込む。引き込み完了時の状態は図８の断面図の通りである。【００４０】  図８のベッド６上の人体５を載せた移乗シート３３Ａ部分を移送用寝台７上に移乗させるためには、ベッド６の左側にある巻取り手段２０を逆回転させ、係着器具２１と引き糸１１の先の環状器具１３との係着を外す。
次いで巻取り棒２０を移送用寝台７の右側に移動設置し、移送用寝台７の上の引き糸１１の端の環状器具１３に巻取り棒２０に備えられた係着器具２１を係着する。
巻取り棒２０を回転させると、移乗シート３３のＡ部分３３ＡがＢ部分３３Ｂ、Ｃ部分３３Ｃの上を、摩擦が小さいので、滑るように引き寄せられて、緩やかに移送用寝台７の上に移乗する。【００４１】人体と共に移乗した移乗シート、マット、敷布等は、まとめて移送用寝台と共に、診察室或いは手術室に持ち込むと取り外す手間が不要となる。診察又は手術が終わり病室に戻る時は、移送用寝台７のマットの上に移乗シート３３を敷いて、人体５をその上に載せ病室に戻る。但し、移乗シート３３は次項の通り置き方を変える。【００４２】  図９は、移送用寝台７上の人体５をベッド６上に移乗させるための準備完了状態を示す断面図である。移乗シート３３Ｃ部分はベッド６の上にあり、３３Ａ、３３Ｂ部分は移送用寝台７上に折り重なっている。３３Ａ部分上には人体５が載っている。
巻取り棒２０をベッドの左側に設置し、係着器具２１に引き糸１１の端の環状器具１３を係着して巻取れば、これに繋がる移乗シート３３のＡ部分はＢＣ部分上を滑るように引寄せられてベッド６上の移乗シート３３Ｃ部分上に移乗し、図１０に示す状態になる。【００４３】  移乗シートを人体の下より引き抜く方法に付き説明する。
図１０で、引き糸１１が巻きつけられている巻取り棒２０を更に回転させれば移乗シートＡ部分３３Ａ，Ｂ部分３３Ｂ、Ｃ部分３３Ｃも巻取り棒２０に巻きつけられ、最後には人体５の下から引き抜かれる。
この時、移乗シートＡ部分３３Ａの上の人体５が横に引かれて落ちないように押さえておく手段が必要である。
【実施例４】
【００４４】  前記巻取り棒の両端を支える巻取り棒支持手段の主要構成要素は、上部の巻取り棒受け具と下部の巻取り棒受け具を支える支柱とである。
前記支柱が床置き型の例は、図面６に示す通りである。巻取り棒受け具２３を床置き形支柱２４が床の上で支える。
巻取り棒支持手段２５の高さは、図６の通り、巻取り棒２０がベッド上のマットレスの上面よりやや上方での高さを保持できる程度とする。【００４５】  巻取棒受け具２３と床置き型支柱２４との間の接続器具（図示省略）は、該支柱２４を巻取り棒２０に対して直角に、そして床より垂直に支えるだけではなく、折り曲げて巻取り棒２０に密着出来る構造とすれば、全体を１本に纏めることが出来て持ち運びや保管を容易にする。【００４６】  図示してはいないが、該支柱２４は、ベッド６および移送用寝台７の構造部分に係着する手段を備えることにより、巻取り棒２０を安定して支持することが出来る。【００４７】床置き型とは別の、ベッドまたは移送用寝台の上面置き型の巻取り棒支持手段の一例は、図７に示すとおりである。巻取り棒受け具２３は、垂直面と水平な底面が直角Ｌ字型に交わるＬ字型支柱２６で支えられている。支柱の底面はベッド６又は移送用寝台７の上面の上のマットレスやマットの下に差し込む。また、前記底面は、畳の上の布団の横に置いた移乗用器具の下に差込んで置いての使用も可能である。【００４８】  図７の符号２７は、Ｌ字型支柱２６をベッド６および移送用寝台７の構造部分に係着する手段を備える場所の一例を示すものであるが、この場所にこだわるものではない。
ベッドまたは移送用寝台の構造部分との係着を容易にする為必要であれば、垂直部分は、水平部分を越えて下方に延びた形状とすることも可能である。ベッド６および移送用寝台７の構造は様々なので、実情に即した係着手段の開発が必要となる。【００４９】  巻取り棒の受け具２３は巻取り手段の両端部分に位置するので、中央部分にかかる力により巻取り棒が曲がるおそれがある。これを防ぐ為には巻取り手段自体の強度を高める手段の他に、中央部分に巻きついた紐又は布の外側に、単数又は複数のローラーを当てて巻取り手段が曲がらないようにする方法もある。
【符号の説明】
【００５０】  １  本発明人体移乗用器具の実施例１
２  同、実施例２
３Ａ  同、実施例３（平面展開図）
３Ｂ  同、実施例３（請求項３の形状を示す斜視図）
１１  同、引き糸
１２  同、係着手段
１３  環状器具
１４  輪紐
１５  固着手段
１６  引き糸通し孔
１７  糸縛り用細棒
２０  巻取り棒
２１  係着器具
２２  回転ハンドル
２３  巻取り棒受け具
２４  床置き型支柱
２５  巻取り棒支持手段
２６  Ｌ字型支柱
２７  Ｌ字型支柱係着手段
３１、３２、３３    移乗シート
３３Ａ  実施例３の移乗シートＡ部分
３３Ｂ  同、Ｂ部分
３３Ｃ  同、Ｃ部分
４  輪紐引寄せ棒
５  人体
６  ベッド
７  移送用寝台
【図１】
2013000563.tif 000003
【図２】
2013000563.tif 000004
【図３】
2013000563.tif 000005
【図４】
2013000563.tif 000006
【図５】
2013000563.tif 000007
【図６】
2013000563.tif 000008
【図７】
2013000563.tif 000009
【図８】
2013000563.tif 000010
【図９】
2013000563.tif 000011
【図１０】
2013000563.tif 000012
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
人体を載せて移乗させる移乗シートと、該移乗シートを引寄せる引寄せ手段と、該引寄せ手段を巻取る巻取り手段とを有し、
前記移乗シートは、人体の頭部から膝部までの長さより長い縦辺を有する上載せ部分と、ベッドの幅と移送用寝台の幅とを併せた長さ程度の横辺を有する下敷き部分とを有する長方形であって、表裏両面の摩擦係数が小さい両面滑性シートから成り、
前記引寄せ手段は、前記移乗シートの上載せ部分における幅方向両端の縦辺に一端が固着された複数本の引き糸から成り、他端には環状器具を備え、
前記巻取り手段は、前記環状器具との係着手段を備えた巻取り棒を有することを特徴とする人体移乗用器具。
【請求項２】
前記環状器具の中に通された紐が、該環状器具の中を通されていない部分と輪状に結ばれていることを特徴とする請求項１に記載の人体移乗用器具。
【手続補正２】
【補正対象書類名】明細書
【補正対象項目名】全文
【補正方法】変更
【補正の内容】
【発明の詳細な説明】
【技術分野】
【０００１】
本発明は、臥している病人、障害者、老人等被介護者の移乗用器具に関する。
【背景技術】
【０００２】
従来の人体移乗用器具の中には、長尺な移乗用シートと巻取り手段を備えたものがある（例えば特許文献１参照）。当該特許文献１の図１は手鉤２本に引出手段が、そしてその先には移乗用シートが繋がって居る。ベッドの片側から反対側に、衛生上の観点から直接人体の下を通さず、その下の幅約１ｍのマットの下を、ベッドの反対側より１ｍも手を伸ばして、隣接する移送用寝台上の手鉤と引出手段を引寄せるのは面倒な作業であり、この作業を２回行わなければならない。
【０００３】
当該特許文献１の図４では手鉤は寝ている患者の首や足の下あたりに１．２ｍ程度離れて位置しているが、両手を広げて手鉤を手前に力を入れて引くことは出来ない。両手を合わせて引くと手鉤の先の引出手段とその先の移乗用シートが中央に寄って来て移乗用シートの形が崩れる。一人の介護者が2回に分けて引いても、２人の介護者が同時に引いても、中央の腰部付近のシートは、逆方向向きの抵抗で形が崩れる。形が崩れたままでは被介護者を載せることが出来ないという問題がある。
【０００４】
手鉤と引出手段の長さは通常のベッド幅１ｍ以上ある筈で、これを介護者が引くにはその身体の動きもあるので、ベッドの傍らに幅1.５ｍ以上の引寄せ作業用スペースが必要となる。これは狭い病室では無理な問題である。
【０００５】
人体の体重は５０ｋｇ以上ある場合が多く、人体の背面には凹凸があり、その摩擦係数は大きい。当該特許文献１の図５の断面図は、人体の左肩下に引出手段、アウターシート、ベースシート、そしてこれらの結合手段等が図示されている。その厚みは３枚のシートとこれを外側の上下から纏める材質形態が不明な結合手段を併せると５重となる。
さらに、患者を載せる側の上面側シートの摩擦係数が高く設定されているので、移乗用シートを人体の下に引込むには、かなりの抵抗があり、かなりの力を必要とするという問題がある。
【０００６】
人体の移送用寝台上への引寄せ移乗に際しては、移乗用シートの底面の摩擦係数は小さいが、その下で接触するマットやマットレスの摩擦係数は大きいので、相当程度強力な引く力が必要となるという問題がある。
【０００７】
当該特許文献１の「００１２」項には、「ベッドに患者を戻すときは、逆に、引出手段７先端の引出用手鉤部８により（中略）移乗用シート３ごと患者をベッド１５床部移乗させればよい」とある。巻取りローラーには触れておらず、「手鉤」とあるので、これは２人の介護者が、器具を使わずに２個の手鉤を引く作業と理解される。
移乗用シートの底面の摩擦係数は小さいが、その下のマットレスやマットの摩擦系数は大きいので、この作業は相当な力を必要とし問題である。また、２人の介護者が手鉤を引くに当たって、介護者の身体の動きと手鉤と引出手段の長さが必要とする幅の広い作業スペースがベッドの横に必要という問題もある。
【０００８】
既に商品化しているマットやボードに、介護者が引いたり持ち上げたりする為の握りや紐を備えている器具がある（例えば非特許文献１参照）。また、平面状或いは円筒状の表面滑性シートが市販されている。いずれも使用に当たっては、先ず、臥している人体の下に器具やシートを差込む必要があるが、当該人体の下への差込みは簡単ではない。
差込むに当たっては、人体を左右横向きにさせたり戻したりする介護者による体位変換作業が必要である。これは被介護者にとっても介護者にとっても負担である。
【０００９】
これらの器具にはベッドと移送用寝台との間の移乗手段が備わっていないので介護者が被介護者を抱き抱えて移乗させるなどの重労働が必要となる。また、これらの器具や表面滑性シートも、その下のマットレスも柔軟性に富むので、ベッドの端で抱き抱えるときなど、その上の被介護者の人体が傾くなど、移乗作業は安定性に欠ける。また、患者に触れるので病原菌が伝染するおそれがある。
【先行技術文献】
【特許文献】
【００１０】
【特許文献１】特公平７−５５２３０号公報
【非特許文献】
【００１１】
【非特許文献１】パラマウントベッド（株）  ２０１１カタログ（第１０４頁）「トランスファーマットレス」
【発明の概要】
【発明が解決しようとする課題】
【００１２】
本発明は、特許文献１の例が有する次の課題が解決できる人体移乗用器具を実現することを目的とする。
（１）手鉤と引出手段という移乗用シートの引寄せ手段を、ベッドの片側から入れ反対側に出す作業を簡単にすること。
（２）移乗用シートを人体の下に引込むときの抵抗を少なくすること。
（３）移乗用シートを人体の下に引込むときのシートの形の崩れを防止すること。
（４）移乗用シートを引くために必要なベッド脇のスペース幅を大幅に減らすこと。
（５）人体を載せた移乗シートをベッドより移送用寝台へ引寄せるときの摩擦抵抗を大幅に減らすこと。
（６）人体を載せた移乗シートを移送用寝台よりベッドへ引寄せるときの摩擦抵抗を大幅に減らすこと。また、人力ではなく器具を使って引寄せること。
【００１３】
本発明は、非特許文献１の器具や市販の滑り布と称する薄布が有する、次の課題も解決できる人体移乗用器具を実現することを目的とする。
（１）人体の下への引込みのための体位変換を不要にすること。
（２）ベッドと移送用寝台間の移乗の為の人体抱き抱え重労働を不要にすること。
（３）介護者の人力による不安定な作業を安定したものとすること。
（４）人体に触れる必要を無くし、病原菌の伝染を防ぐこと。
【課題を解決するための手段】
【００１４】
本発明請求項１の発明に係る人体移乗用器具は、人体を載せて移乗させる移乗シートと、該移乗シートを引寄せる引寄せ手段と、該引寄せ手段を巻取る巻取り手段とを有し、前記移乗シートは、人体の頭部から膝部までの長さより長い縦辺を有する上載せ部分と、ベッドの幅と移送用寝台の幅とを併せた長さ程度の横辺を有する下敷き部分とを有する長方形であって、表裏両面の摩擦係数が小さい両面滑性シートから成り、前記引寄せ手段は、前記移乗シートの上載せ部分における幅方向両端の縦辺に一端が固着された複数本の引き糸から成り、他端には環状器具を備え、前記巻取り手段は、前記環状器具との係着手段を備えた巻取り棒を有することを特徴とする。
【００１５】
本発明請求項２の発明は、前記環状器具の中に通された紐が、該環状器具の中を通されていない部分と輪状に結ばれていることを特徴とする請求項１に記載の人体移乗用器具である。
【発明の効果】
【００１６】
前記「課題を解決する手段」で述べた構成形状としたことによって、特許文献１の器具と比較して、本発明の器具は次に列挙する効果が得られる。
（１） 移乗シートを人体の下に引込むための引寄せ手段の引込み方法が簡単である。
（２）移乗シートと移乗シート引寄せ手段の摩擦係数が小さい。
（３）人体の下に引込んだ後の移乗シートの形状の崩れが少ない。
（４）移乗シートの人体の下への引込み作業用スペースは狭くて済む。
（５）人体を載せた移乗シートのベッドより移送用寝台への引寄せるときの摩擦抵抗が極めて小さい。
（６）人体を載せた移乗シートを移送用寝台よりベッドへ引寄せるときの摩擦抵抗が極めて小さい。また、人力ではなく器具を使って引寄せることが出来る。
【００１７】
非特許文献１の器具や滑り布と称する商品と比較して、本発明の器具は次に列挙する効果が得られる。
（１）人体の下への移乗シート引込みのための体位変換は不要である。
（２）ベッドと移送用寝台間の移乗の為の人体抱き抱え重労働も不要である。
（３）介護者の人力による不安定な作業が安定したものとなる。
（４）人体に触れる必要が無く、病原菌の伝染を防げる。
【図面の簡単な説明】
【００１８】
【図１】本発明の実施例１の平面図である。
【図２】同、実施例２の平面図である。
【図３】同、実施例３の平面図である。
【図４】同、実施例３の請求項１の形状を示す斜視図である。
【図５】実施例１の輪紐が引き糸を引き始めた状態を示すイメージ図である。
【図６】図４の移乗シート引寄せ直前の状態を示す斜視図である。
【図７】巻取り棒支持具の一例を示す斜視図である。
【図８】図６の移乗シートの人体下への引込み完了状態を示す断面図である。
【図９】人体を移送用寝台よりベッド上へ引寄せる直前の状態を示す断面図である。
【図１０】図９の人体がベッド上に引寄せられた状態を示す断面図である。
【発明を実施するための形態】
【００１９】
説明と理解を容易にするため、縦横左右等の位置関係は、ベッドの足許側より見た表現とする。ベッド上頭置き部と足置き部を結ぶ線は縦、これと直角に交わる線は横である。移送用寝台はベッドの右側に寄せる。
【００２０】
通常金属製のベッド上には厚手のマットレス、薄手のマット、敷布、人体、毛布類が順次重なっている。引寄せ手段はマットとマットレスの間に引込む事とする。
しかし、ベッドの上の厚手のマットレスの上に敷かれている薄手のマットと敷布、そして人体の上の毛布類についての取り扱いの説明と図示は原則として省略する。また、通常移送用寝台上にはマットが置かれて居り薄手のカバーが掛けられているが、薄手のカバーの説明と図示も省略する。
【００２１】
細長い手段や移乗シート等はベッドや移送用寝台を越えた場所では下に垂れ下がるが、図面上では、全体構成の理解を容易にするため、水平に延びている形状で示した。
【実施例１】
【００２２】
図１は本発明の基本構成要素である移乗シート３１と引寄せ手段、巻取り手段を示している。移乗シート３１は、表裏両面の摩擦係数が小さい両面滑性シートから成り、一層又は複数層のシート状の手段である。その素材は繊維、不織布、化学合成フィルムなどいずれでも良い。
【００２３】
引寄せ手段を構成する引き糸１１は、柔らかくしなやかに曲がる細長い凧糸などの手段であって、紐、テープと称するものでも良い。天然繊維、化学合成繊維、ワイヤーなど材質は問わない。引き糸１１の一端には移乗シート３１への係着手段１２を備え、他端には環状に結ばれた紐、輪紐１４が中に通された環状器具１３を備える。
引き糸の長さは標準のベッドの幅よりやや長くする。引き糸１１を複数本纏めて引寄せ手段を構成する。図１では８本の引き糸を図示しているが、本数を増やすことは容易であり、引寄せの際の移乗シートの崩れは少なく出来る。
前記移乗シートへの係着手段の一例としてはクリップがあり、他の例としては、移乗シートに空けた鳩目穴へのフックがある。
【００２４】
輪紐１４は、移乗シートの長辺の２倍程度の長さの紐を環状に結んだものであり、引き糸１１の順序を保ち、巻取り棒２０の係着器具２１への環状器具１３の係着作業を容易にする。引き糸１１に絡まらないように、輪紐１４の方をやや太めにする。輪紐引寄せ棒４の長さはベッドの横幅程度で、先端はフック状の形態である。
【００２５】
巻取り棒２０は円筒形の棒とし、前記移乗シート３１の縦幅よりやや長く、所定の間隔を置いて複数の係着器具２１と、回転ハンドル２２を備える。係着器具２１の一例は金属製のフックであり、他の例は頭部直径の大きめの釘である。巻取り棒２０は、一例として、直径３０ｍｍの鉄パイプが挙げられる。
係着器具２１の間隔は、体重が重く掛かる人体の腰部近辺ではでは狭く、軽く掛かる脚部近辺では広くする。巻取り棒２０は、木製、金属製、塩化ビニール製など材質は問わない。引き糸１１の一本毎にフランジを備えれば、複数の引き糸１１それぞれの巻き取り場所を纏めることが出来る。
【００２６】
ベッド上の人体を右隣の移送用寝台に移乗させる手順について図1及び図５を引用して説明する。移乗作業の第１ステップは移乗シート３１の人体下への引込みである。
先ず、図５に示すとおり巻取り棒２０はベッド６の左側に置く。また、輪紐１４が通された環状器具１３を備えた引き糸１１と移乗シート３１は右側の移送用寝台７の上に置く。但し図4では、引寄せ手段を構成する引き糸１１の弛みを示す為、移乗シート３１は、移送用寝台７の右側に示した。
【００２７】
次いで輪紐引寄せ棒４の先端を、ベッドの左側から人体の下を右側に通して、先端のフックを移送用寝台７上に突き出し、これに輪紐１４を引っ掛ける。輪紐引寄せ棒４を左側に引き戻すと、輪紐１４の先がベッドの左側に出てくる。図５はこの状態を示す。
更に引けば引き糸１１の端の環状器具１３がベッドの左側に出て来る。環状器具１３を順次巻取り棒２０に備えられた係着器具２１に係着する。巻取り棒２０を回転させれば、環状器具１３の先の引き糸１１が巻かれ、これに係着された移乗シート３１が人体５の下に引込まれる。
【００２８】
移乗作業の第２ステップは、人体を載せたベッド上の移乗シート３１の移送用寝台７上への引寄せである。先ず、巻取り棒２０に巻かれている引き糸１１の端の係着手段１２が、図1および図５で移乗シート３１の左側へ係着しているが、この係着を取り外す。
次いで巻取り棒２０を移送用寝台７の右側に移動する。巻取り棒２０を逆回転させて、巻きついている係着手段１２と引き糸１１を左側に引き伸ばしてベッド６上の移乗シート３１の右端部（図1および図５で移乗シート３１の右側の長辺）に係着させる。
【００２９】
その後巻取り棒２０を回転させると移乗シート３１及びその上の人体５は移送用寝台７上に引寄せられ移乗する。移乗シート３１の引寄せの際には、ベッド６と移送用寝台７の間の凹みの上には、上面の摩擦係数が小さい薄手の渡し板を敷いて置き、移乗シート３１の移動を容易にする。巻取り棒２０の回転は、手動のみならずギアを用いた電動装置によることも可能である。
【実施例２】
【００３０】
図２は、請求項1の移乗シート３１の相対する長辺の双方に、前記引寄せ手段を固着した構成を示す平面図である。
請求項１では、引寄せ手段が一組なので、人体移乗第１ステップの移乗シートの人体下への引込みの際には、前記引寄せ手段を移乗シートの左側に係着する。次いで、第２ステップの人体を右側の移送用寝台に移乗させる際には、前記係着を外して、引寄せ手段を右側に移動させて、移乗シートの右側に前記係着手段を新たに係着させるという面倒な作業が必要である。
【００３１】
しかし、図２に示す実施例２では、移乗シートの人体下への引込み時には左側の引寄せ手段を使用し、人体の移乗時には右側の引寄せ手段を使用するので、引寄せ手段の移乗シートの左側との係着の取り外し、右側への移動、移乗シートの右側への係着の作業は不要となる。
前記固着とは、着脱自在の係着とは異なり、接着或いは結着された２者を引き離す必要の無い固定された状態を意味する。
【実施例３】
【００３２】
請求項１の人体移乗用器具の主要構成要素は、図3の平面図に示す通りである。
図２と同じ形状部分の移乗シートをＡ部分３３Ａ、その外側のベッドの幅程度拡幅された部分をＢ部分３３Ｂ、更にその先の移送用寝台の幅程度拡幅された部分をＣ部分３３Ｃと称することとする。
【００３３】
請求項１の人体移乗用器具の核心的部分は、図４の斜視図に示す通り、移乗シート３３のＡ部分３３Ａが上側に置かれ、Ｂ部分３３ＢとＣ部分３３Ｃは折り曲げられて下側に置かれた形状である。人体を載せた上側の部分が下側の部分の上を引寄せられるとき、接触する上下両面の摩擦係数が小さいので、引寄せのための力は、特許文献１の人体移乗器具に比べると、相当小さくて済む。
【００３４】
図６は、請求項１の人体移乗用器具の、折り曲げられた形状の移乗シート３３Ａ部分を人体の下に引込む作業開始直前の状態を示す斜視図である。
移乗シート３３のＡ部分３３ＡとＢ部分３３Ｂの境界線部分に係着している引き糸１１は左側に伸びて、その端の環状器具１３が巻取り棒２０の係着器具２１に係着している。移乗シート３３の右外側の引き糸１１は右側に伸びている。
【００３５】
人体移乗用器具の形状を図６の如く形成するためには、事前に、輪紐引寄せ棒４による輪紐１４、環状器具１３、引き糸１１のベッド上への引寄せと、引寄せられた環状器具１３を巻取り棒２０の係着器具２１に係着させる作業がある。この作業手順は実施例１と同様である。
【００３６】
図６は、移乗シートのＡＢ両部分の境界線部分に引き糸１１の通し孔１６を示している。引き糸１１の端はこの通し穴１６を通り抜け、その裏側の糸縛り用細棒１７に固着されている。
前記細棒の一例は、長さ１，６００ｍｍ、直径２〜３ｍｍ程度の金属棒である。しかし固着手段はこの方法には限らない。長い1本の細棒ではなく引き糸と通し孔ごとに、個別に短い細棒で引き糸を固着する方法もある。金属棒を使わずに引き糸を接着剤で固着、あるいは引き糸を縫い付ける方法もある。鳩目孔に引き糸を通して結びつける方法もある。
【００３７】
移乗シート３３の人体下への引込みは、図６の斜視図の状態から始めて、巻取り棒２０を回転して引き糸１１とその先の折り曲げた形状の移乗シート３３を人体下に引込む。引込み完了時の状態は図８の断面図の通りである。
【００３８】
図８のベッド６上の人体５を載せた移乗シート３３Ａ部分を移送用寝台７上に移乗させるためには、ベッド６の左側にある巻取り棒２０を逆回転させ、係着器具２１と引き糸１１の先の環状器具１３との係着を外す。
次いで巻取り手段を移送用寝台７の右側に移動設置し、移送用寝台７の上の引き糸１１の端の環状器具１３に巻取り棒２０に備えられた係着器具２１を係着する。
巻取り手段を回転させると、移乗シート３３のＡ部分３３ＡがＢ部分３３Ｂ、Ｃ部分３３Ｃの上を、摩擦が小さいので、滑るように引寄せられて、緩やかに移送用寝台７の上に移乗する。
【００３９】
人体と共に移乗した移乗シート、マット、敷布等は、まとめて移送用寝台と共に、診察室或いは手術室に持ち込むと取り外す手間が不要となる。診察又は手術が終わり病室に戻る時は、移送用寝台７のマットの上に移乗シート３３を敷いて、人体５をその上に載せ病室に戻る。但し、移乗シート３３は次項の通り置き方を変える。
【００４０】
図９は、移送用寝台７上の人体５をベッド６上に移乗させるための準備完了状態を示す断面図である。移乗シート３３Ｃ部分はベッド６の上にあり、３３Ａ、３３Ｂ部分は移送用寝台７上に折り重なっている。３３Ａ部分上には人体５が載っている。
巻取り手段をベッドの左側に設置し、係着器具２１に引き糸１１の端の環状器具１３を係着して巻取れば、これに繋がる移乗シート３３のＡ部分はＢＣ部分上を滑るように引寄せられてベッド６上の移乗シート３３Ｃ部分上に移乗し、図１０に示す状態になる。
【００４１】
移乗シートを人体の下より引き抜く方法に付き説明する。
図１０で、引き糸１１が巻きつけられている巻取り棒２０を更に回転させれば移乗シートＡ部分３３Ａ，Ｂ部分３３Ｂ、Ｃ部分３３Ｃも巻取り棒２０に巻きつけられ、最後には人体５の下から引き抜かれる。
この時、移乗シートＡ部分３３Ａの上の人体５が横に引かれて落ちないように押さえておく手段が必要である。
【実施例４】
【００４２】
前記巻取り棒の両端を支える巻取り棒支持手段の主要構成要素は、上部の巻取り棒受け具と下部の巻取り棒受け具を支える支柱とである。
前記支柱が床置き型の例は、図面６に示す通りである。巻取り棒受け具２３を床置き型支柱２４が床の上で支える。
巻取り棒支持手段２５の高さは、図６の通り、巻取り棒２０がベッド上のマットレスの上面よりやや上方での高さを保持できる程度とする。
【００４３】
巻取棒受け具２３と床置き型支柱２４との間の接続器具（図示省略）は、該支柱２４を巻取り棒２０に対して直角に、そして床より垂直に支えるだけではなく、折り曲げて巻取り棒２０に密着出来る構造とすれば、全体を１本に纏めることが出来て持ち運びや保管を容易にする。
【００４４】
図示してはいないが、該支柱２４は、ベッド６および移送用寝台７の構造部分に係着する手段を備えることにより、巻取り棒２０を安定して支持することが出来る。
【００４５】
床置き型とは別の、ベッドまたは移送用寝台の上面置き型の巻取り棒支持手段の一例は、図７に示すとおりである。巻取り棒受け具２３は、垂直面と水平な底面が直角Ｌ字型に交わるＬ字型支柱２６で支えられている。支柱の底面はベッド６又は移送用寝台７の上面の上のマットレスやマットの下に差込む。また、前記底面は、畳の上の布団の横に置いた移乗用器具の下に差込んで置いての使用も可能である。
【００４６】
図７の符号２７は、Ｌ字型支柱２６をベッド６および移送用寝台７の構造部分に係着する手段を備える場所の一例を示すものであるが、この場所にこだわるものではない。
ベッドまたは移送用寝台の構造部分との係着を容易にする為必要であれば、垂直部分は、水平部分を越えて下方に延びた形状とすることも可能である。ベッド６および移送用寝台７の構造は様々なので、実情に即した係着手段の開発が必要となる。
【００４７】
巻取り棒受け具２３は巻取り棒２０の両端部分に位置するので、中央部分にかかる力により巻取り棒が曲がるおそれがある。これを防ぐ為には巻取り手段自体の強度を高める手段の他に、中央部分に巻きついた紐又は布の外側に、単数又は複数のローラーを当てて巻取り棒２０が曲がらないようにする方法もある。
【符号の説明】
【００４８】
１    本発明人体移乗用器具の実施例1
２    同、実施例２
３Ａ    同、実施例３（平面展開図）
３Ｂ    同、実施例３（請求項１の形状を示す斜視図）
１１    同、引き糸
１２    同、係着手段
１３    環状器具
１４    輪紐
１５    固着手段
１６    引き糸通し孔
１７    糸縛り用細棒
２０    巻取り棒
２１    係着器具
２２    回転ハンドル
２３    巻取り棒受け具
２４    床置き型支柱
２５    巻取り棒支持手段
２６    Ｌ字型支柱
２７   Ｌ字型支柱係着手段
３１、  ３２、３３      移乗シート
３３Ａ  実施例３の移乗シートＡ部分
３３Ｂ  同、Ｂ部分
３３Ｃ  同、Ｃ部分
４    輪紐引寄せ棒
５    人体
６    ベッド
７    移送用寝台